(57)【特許請求の範囲】
【請求項１】
片面に貫通穴を有し、さらに、内部に排水口を有するモーターケースと、
前記モーターケースに前記貫通穴の軸心を略中心として設けられたモーターと、
前記モーターケースの貫通穴の外側に配置され、前記モーターの回転軸に取り付けられたファンと、
前記モーターケースに装着され、モーターケースとの間に前記ファンが回転可能に収納された基板収納ケースと、
前記モーターケースに設けられ、当該モーターケース内への冷却風導入口となる吸気口を有する吸気ダクトと、
前記モーターケースで前記吸気口の下流側にあり、前記ファンに冷却風を供給するためのモーターケース吸気部と、
を備え、
前記モーターケースは、
前記モーターの下側に排水口が形成され、
前記吸気ダクトは、
前記モーターケース吸気部から前記吸気口までの空間が、前記吸気口に近づくに従って次第に口径が大きくなるよう連続し、
前記ファンの取付面側から前記モーターの取付面側に向かう方向に平行な第１の幅が小さくなるように形成された第１の斜面と、
前記第１の幅と直交する方向の幅が小さくなるように形成された第２の斜面と、
前記第１の斜面及び前記第２の斜面の下側に形成され、前記第１の斜面及び前記第２の斜面側から前記排水口側にかけて形成された第３の斜面とが形成された
ことを特徴とする電磁誘導加熱調理器。
【請求項２】
前記モーターケース吸気部から前記吸気口までの空間は、所定の角度Ｘを持った傾斜した平面又は所定の曲率を持った曲面で連続していることを特徴とする請求項１記載の電磁誘導加熱調理器。
【請求項３】
前記モーターケース吸気部から前記吸気口への口径拡大方向は、前記ファン取付面側、あるいは前記モーター取付背面側、あるいはその両側としたことを特徴とする請求項１または請求項２いずれかに記載の電磁誘導加熱調理器。
【請求項４】
前記吸気ダクトは、前記モーターケース吸気部から前記吸気口までの空間が、前記モーターケース吸気部近傍の所定の奥行きから、所定の角度Ｘを持った傾斜した平面又は所定の曲率を持った曲面で、前記吸気口に近づくに従って次第に口径が大きくなるよう連続していることを特徴とする請求項１から請求項３いずれかに記載の電磁誘導加熱調理器。
【請求項５】
前記吸気口から真下に向いた場合に対向する面が、前記吸気ダクト後面側から前面側に所定の角度Ｘで傾斜し、あるいは所定の曲率でカーブしていることを特徴とする請求項１から請求項４いずれかに記載の電磁誘導加熱調理器。
【請求項６】
前記所定の角度Ｘは、４５度以下となるようにしたことを特徴とする請求項１から請求項５いずれかに記載の電磁誘導加熱調理器。
【発明の詳細な説明】
【技術分野】
【０００１】
本発明は、加熱コイルにより被加熱物を誘導加熱する電磁誘導加熱調理器に関するものである。
【背景技術】
【０００２】
従来の電磁誘導加熱調理器には、冷却ファンにより、吸気ダクトを介して吸引した冷却空気を加熱コイル、回路基板等に送り込んで、冷却するものがある（例えば、特許文献１参照）。
【先行技術文献】
【特許文献】
【０００３】
【特許文献１】特開２００５−５０７１６号公報（第４頁、図２）
【発明の概要】
【発明が解決しようとする課題】
【０００４】
前述した従来の電磁誘導加熱調理器の吸気ダクトは、吸気口が上向きで、吸気口から鉛直方向に延びて略直角に折れ曲がって冷却ファンの吸込口と連結されている。このような吸気ダクトにおいては、使用者が誤って多量の水を吸気口に流した場合には、その水は、吸気ダクト内を落下して水平部で弾けて冷却ファンにより吸引され、飛散した状態で回路基板に浸入し、回路基板の故障の原因となる虞があった。また、吸気ダクトが略直角に折れ曲がっているため、その部分が曲がり圧損となり冷却風の吸引効率が低下する。
【０００５】
本発明は、前述のような課題を解決するためになされたものであり、吸引時の冷却風の流れを改善すると共に、吸気口から水等の液体が入っても、回路基板等への液体の浸入を防止できる電磁誘導加熱調理器を得ることを目的とする。
【課題を解決するための手段】
【０００６】
本発明に係る電磁誘導加熱調理器は、片面に貫通穴を有し、さらに、内部に排水口を有するモーターケースと、モーターケースに貫通穴の軸心を略中心として設けられたモーターと、モーターケースの貫通穴の外側に配置され、モーターの回転軸に取り付けられたファンと、モーターケースに装着され、モーターケースとの間にファンが回転可能に収納された基板収納ケースと、モーターケースに設けられ、当該モーターケース内への冷却風導入口となる吸気口を有する吸気ダクトと、モーターケースで吸気口の下流側にあり、ファンに冷却風を供給するためのモーターケース吸気部とを備え、モーターケースは、モーターの下側に排水口が形成され、吸気ダクトは、モーターケース吸気部から吸気口までの空間が、吸気口に近づくに従って次第に口径が大きくなるよう連続し、ファンの取付面側からモーターの取付面側に向かう方向に平行な第１の幅が小さくなるように形成された第１の斜面と、第１の幅と直交する方向の幅が小さくなるように形成された第２の斜面と、第１の斜面及び第２の斜面の下側に形成され、第１の斜面及び第２の斜面側から排水口側にかけて形成された第３の斜面とが形成されたものである。
【発明の効果】
【０００７】
本発明によれば、モーターケースの吸引側に設けられた吸気ダクトは、モーターケース吸気部から吸気口までの空間が、吸気口に近づくに従って次第に口径が大きくなるよう連続しているようにしたので、誤って吸気口に水等の液体が流れ込んだとしても、吸気ダクトの傾斜部により液体が跳ねることなく滑らかに液体を流すことができる。そのため、液体の跳ねによるファンへの液体の吸い込みが発生しないので、基板収納ケース内への液体の浸入を防止できる。また、吸気口から吸引された冷却風の曲がり圧損も抑制できるので、吸気効率を上げることができる。
【図面の簡単な説明】
【０００８】
【図１】本発明の実施の形態に係る電磁誘導加熱調理器のトッププレート及び加熱源を取り外した状態を示す調理器本体の斜視図である。
【図２】本発明の実施の形態の電磁誘導加熱調理器における冷却用ファン装置、基板収納ケース及び冷却ダクトを示す斜視図である。
【図３】本発明の実施の形態１の冷却用ファン装置及び基板収納ケースを分解して示す斜視図である。
【図４】本発明の実施の形態１の冷却用ファン装置の外観斜視図である。
【図５】本発明の実施の形態１の冷却用ファン装置の吸気ダクトの後面側から見た外観図である。
【図６】本発明の実施の形態１の冷却用ファン装置を上方から見た外観図である。
【図７】本発明の実施の形態１の冷却用ファン装置をモーター取付面背面側から見た側面図である。
【図８】図６に示すＡ−Ａ断面の断面図である。
【図９】本発明の実施の形態１の冷却用ファン装置の吸気ダクトへの水の流れと風の流れを、本発明を模式的に表した模式図である。
【図１０】本発明の実施の形態２の冷却用ファン装置の吸気ダクト断面図である。
【図１１】本発明の実施の形態３の冷却用ファン装置の吸気ダクト断面図である。
【図１２】本発明の実施の形態４の冷却用ファン装置を上方から見た外観図である。
【図１３】本発明の実施の形態４の冷却用ファン装置をモーター取付面背面側から見た側面図である。
【発明を実施するための形態】
【０００９】
実施の形態１．
図１は本発明の実施の形態に係る電磁誘導加熱調理器のトッププレート及び加熱源を取り外した状態を示す調理器本体の斜視図、図２は本発明の実施の形態の電磁誘導加熱調理器における冷却用ファン装置、基板収納ケース及び冷却ダクトを示す斜視図である。
なお、それぞれの図において、同じ部分または相当する部分には同じ符号を付し、一部の説明を省略する。
【００１０】
調理器本体１の本体ケース２は、図１に示すように、上部に開口を有する矩形状に形成されている。その上部開口は、トッププレートによって覆われる構成となっている。本体ケース２の内部には、両側に前後方向に長く延びる左右仕切板３Ｒ、３Ｌと、左右仕切板３Ｒ、３Ｌの間の全体を上下２つの空間に区画する水平仕切板４と、水平仕切板４の後端部から上方に直角に折り曲げられて両端が左右仕切板３Ｒ、３Ｌに当接する後部仕切板５とが設けられている。左右仕切板３Ｒ、３Ｌには、それぞれ上部に切欠部３ａ、３ｂが設けられている。その切欠部３ａ、３ｂは、後述する冷却ダクトを水平に設置する際にそれと衝突しないようにするためである。後部仕切板５には、２つの排気穴５ａが設けられている。
【００１１】
これら仕切板によって区画された各空間は、右冷却室６Ｒ及び左冷却室６Ｌと、上部部品室７と、排気室８を形成している。これら各室は、互いに完全に隔絶されている訳ではなく、例えば、右冷却室６Ｒ及び左冷却室６Ｌと上部部品室７は、切欠部３ａ、３ｂによって連通しており、上部部品室７と排気室８は、２つの排気穴５ａによって連通している。水平仕切板４の上方には例えば３つの加熱コイルが配置され、その下方の空間には、グリル加熱室９が設けられている。グリル加熱室９は、グリル扉９ａが閉じられた状態では、略独立した密閉空間になっているが、排気ダクト９ｂを介して本体ケース２の外部空間、つまり台所等の室内空間に連通している。
【００１２】
前述した右冷却室６Ｒ及び左冷却室６Ｌには、図２に示すように、冷却用ファン装置１１とその冷却用ファン装置１１と連結された基板収納ケース２１が収納されて固定される。基板収納ケース２１の上部に設けられた２つの冷却風排出口２２ｃ、２２ｄは、前述した冷却ダクト３１と連結される。冷却ダクト３１は、左右仕切板３Ｒ、３Ｌの切欠部３ａ、３ｂを跨いだ状態で水平仕切板４に設置される。その冷却ダクト３１は、例えば、プラスチックの一体成形品である上ケースと、同じくプラスチック製の一体成形品である下ケースとが重ね合わせられてネジで固定されたものである。上ケースの上面には、上方の加熱コイルに冷却風を吹き付けるための複数の噴出口３１ａと、液晶表示装置等の電子部品に冷却風を送り込むための四角形の通風口３１ｂが設けられている。
【００１３】
次に、冷却用ファン装置１１及び基板収納ケース２１の構成について図３、図４を用いて説明する。図３は本発明の実施の形態１の冷却用ファン装置及び基板収納ケースを分解して示す斜視図、図４は本発明の実施の形態１の冷却用ファン装置の外観斜視図である。
冷却用ファン装置１１は、モーターケース１２、１４と、モーター１３と、シロッコファン（単にファンと称する場合有り）１５とが組み合わされて構成されている。前述のモーターケース１２、１４及びシロッコファン１５は、例えばプラスチックによって成形されている。
【００１４】
モーターケース１２は、片側に略円形の開口部１２ｂを有する円筒状風路部１２ａと、開口部１２ｂ側から見て円筒状風路部１２ａの片側（吸引側）から上方に延びて構成され、円筒状風路部１２ａと連通して、後述する吸気ダクト１１ａの一部を構成し、モーター１３が取付けられる背面側に設けられた、モーター取付面背面側ダクト構成部１２ｃとで構成されている。円筒状風路部１２ａの最下位の面には、開口部１２ｂ側に延びる排水口１２ｄが設けられている。その排水口１２ｄは、もう一方のモーターケース１４側の面が開放された状態となっている。
【００１５】
モーターケース１４は、円筒状風路部１２ａの開口部１２ｂの軸心を略中心とする円形の貫通穴１４ｂを有し、円筒状風路部１２ａの開口部１２ｂ側端面と嵌合する吸引風路部１４ａと、後述する吸気ダクト１１ａの一部を構成し、シロッコファン１５が取付けられる側に設けられたファン取付面側ダクト構成部１４ｃと、吸引風路部１４ａのファン取付面側ダクト構成部１４ｃから略直角方向に延びる片側に設けられた板状のカバー１４ｄと、吸引風路部１４ａの貫通穴１４ｂにその貫通穴１４ｂの軸心を略中心として配置され、貫通穴１４ｂの周縁部に固定された３つの支持部材１４ｅにより支持されたモーター支持板１４ｆとで構成されている。
【００１６】
モーター支持板１４ｆには、中心に設けられた穴を回転軸１３ａが貫通してモーター１３が固定される。モーター支持板１４ｆの前記穴を貫通した回転軸１３ａの先端部にはシロッコファン１５が圧入により取り付けられる。モーターケース１４の吸引風路部１４ａに設けられたモーター支持板１４ｆにモーター１３を固定し、そのモーター１３の回転軸１３ａにシロッコファン１５を取り付けた後、モーターケース１４のシロッコファン１５の反対側をモーターケース１２で閉鎖するように一体に組み合わせ、ネジ等の固定具で結合すると、図４に示すような冷却用ファン装置１１が組み立てられる。冷却用ファン装置１１が組み立てられたとき、モーターケース１２側のモーター取付面背面側ダクト構成部１２ｃとモーターケース１４側のファン取付面側ダクト構成部１４ｃとが互いに向かい合った形で密着するから、その両者で上向きの吸気口１１ｂを有する吸気ダクト１１ａが構成される。
【００１７】
前述の基板収納ケース２１は、例えば、２つのプラスチック製の半箱状のケース２２、２３を組み合わせ、ネジ等の固定具で結合することで、一体構造物として形成される。２つのケース２２、２３のうち、一方のケース２２には、冷却用ファン装置１１のシロッコファン１５を覆う環状のファンカバー２２ａと、ファンカバー２２ａの周面にシロッコファン１５側が開放の開口部２２ｂとが設けられている。冷却用ファン装置１１の吸引風路部１４ａにケース２２を組み付けた際に、シロッコファン１５がファンカバー２２ａにより覆われ、吸引風路部１４ａに設けられた板状のカバー１４ｄとケース２２の開口部２２ｂとで基板収納ケース２１内に冷却風を吹き出す吹出口が形成される。
【００１８】
また、ケース２２の上面には、シロッコファン１５からの冷却風の流れる方向に沿って２つの冷却風排出口２２ｃ、２２ｄが設けられている。冷却風排出口２２ｄは、基板収納ケース２１において冷却風の流れの最も下流側にあり、冷却風排出口２２ｃよりも大きな開口面積を有している。これらの冷却風排出口２２ｃ、２２ｄは、前述の図２に示す冷却ダクト３１と連結される。
【００１９】
また、２つのケース２２、２３が組み合わされた基板収納ケース２１には、加熱コイルに所定の高周波電力を供給するインバータ回路が実装された回路基板２４が収納される。なお、この回路基板２４には、インバータ回路の部分と離して冷却用ファン装置１１のモーター１３を駆動する電源・駆動回路も一緒に実装されている。
【００２０】
冷却用ファン装置１１と基板収納ケース２１が一体に組み立てられたものは、冷却ユニットとして右冷却室６Ｒ及び左冷却室６Ｌに収納されて固定される。冷却用ファン装置１１の吸気口１１ｂは、本体ケース２の背面側に配置される。
【００２１】
ここで更に、冷却用ファン装置１１に構成された吸気ダクト１１ａについて、図５、図６、図７、図８を用いて詳しく説明する。図５は本発明の実施の形態１の冷却用ファン装置を吸気ダクトの後面側から見た外観図、図６は本発明の実施の形態１の冷却用ファン装置を上方から見た外観図、図７は本発明の実施の形態１の冷却用ファン装置をモーター取付面背面側から見た側面図、図８は図６に示すＡ−Ａ断面の断面図である。
【００２２】
図５、図６に示すように、モーターケース１２、１４が組み合わされ、吸気ダクト１１ａが一体に構成されている。吸気ダクト１１ａを上方からみると、シロッコファン１５が取付けられる面側のファン取付面側側面１０ａと、モーター１３が取付けられたモーター支持板１４ｆの背面側、すなわちモーター１３を挟んでモーター支持板１４ｆと反対側の側面１０ｂ、及び前面１０ｃと後面１０ｄの４面で構成されており、その４面で構成されている最上端が、吸気口１１ｂとなっている。
【００２３】
冷却用ファン装置１１を側面からみると、図７に示すように後面１０ｄ側から所定の長さに亘って垂直な壁面があり、その垂直な壁面の下端で円筒状風路部１２ａに所定の角度Ｘの傾斜面（後述する傾斜部１４ｇ）を介して連続している。言い換えると、吸気口１１ｂから導入する冷却風の下流側に至る風路は、その途中より前面１０ｃ側（排水口１２ｄの方向）へ所定の角度Ｘで傾斜（下り勾配状態）した吸気口対向面１７となっている。
【００２４】
１６はモーターケース吸気部であり、図８に示すように、冷却風を導入する入口の横幅寸法がＷ１（約５５ｍｍ）になっていて、下流側が前述の円筒状風路部１２ａに連通している。
吸気口１１ｂは図８に示すように、モーターケース吸気部１６に対応した横幅寸法Ｗ１よりも大きいＷ２（約８５ｍｍ）の横幅寸法に形成されている。すなわち、吸気口１１ｂのファン取付面側側面１０ａは、モーターケース吸気部１６の入口を基準としてシロッコファン１５側に所定寸法（＝Ｗ２−Ｗ１）離れた位置で垂直な壁を形成しており、モーターケース吸気部１６の入口から見れば、入口の幅がＷ２に拡大した状態となっている。
１４ｇは前述のファン取付面側側面１０ａからモーターケース吸気部１６の入口に至る傾斜部であり、図８に示すように所定の角度Ｘ（４５度以下）で全体が傾斜し、かつその内側表面全体は、水などの液体が円滑に流れ落ちるよう平坦な面になっている。
【００２５】
ここで、モーターケース吸気部１６の拡大方向としてファン取付面側側面１０ａ側へ拡大しているが、図８でのモーター取付面背面側側面１０ｂの右側方には、前述の図１に示すグリル加熱室９と右冷却室６Ｒとを右仕切板３Ｒが直ぐ傍に設けられており熱の影響を抑制している。それにより、右側方には吸気口１１ｂを拡大するためのスペースをとる余裕が無い。対してファン取付面側側面１０ａ側は、シロッコファン１５が取付けられた幅分の上部にデッドスペースとなるスペースがあり、そのスペースを有効に活用することで拡大を可能にしている。
【００２６】
前述のように構成された電磁誘導加熱調理器において、調理器本体１の使用中に、誤ってトッププレート上面に水を流してしまったり、調理中に吹き零れが発生したりすることで、その水や湯等の液体が吸気口１１ｂに浸入した場合、吸気ダクト１１ａは、ファン取付面側側面１０ａ側の下端にそれと連続した傾斜部１４ｇが設けられているので、その方向から吸気口１１ｂに浸入した液体は、図９（ａ）に示すように抵抗が少ないため途中で跳ねることなく傾斜部１４ｇに沿って下方に円滑に流れ、吸気口対向面１７に沿って円筒状風路部１２ａ内のカーブ面に至り、排水口１２ｄより排出される。
【００２７】
この際、図９（ｂ）に示すように傾斜部１４ｇではなく、上面が水平の水平部１４ｋが設けられていると、吸気口１１ｂから浸入した液体が水平部１４ｋに衝突した際に跳ね、細かい滴になって飛散し、モーターケース吸気部１６から冷却風とともに吸い込まれることで、モーター１３や基板収納ケース２１内へ液体が浸入してしまい、モーター１３や回路基板２４が故障する可能性が高くなる。
【００２８】
それから、調理器本体１の使用中は冷却用ファン装置１１が駆動し、室内の空気を冷却風として吸気口１１ｂから吸引をするが、吸気口１１ｂに吸引された冷却風は、吸気ダクト１１ａを通ってモーターケース吸気部１６より円筒状風路部１２ａ内に吸引される。ここで、吸気ダクト１１ａに傾斜部１４ｇを設けているので、図９（ｃ）に示すように抵抗が少なく滑らかにモーターケース吸気部１６に冷却風を導くことができ、円筒状風路部１２ａ内にスムーズに冷却風の取入れが可能となる。
【００２９】
この際、図９（ｄ）に示すように傾斜部１４ｇではなく、上面が水平の水平部１４ｋが設けられていると、吸気口１１ｂから吸引された冷却風の曲がり圧損が大きいことや、急激な曲がりによって冷却風取り入れの妨げとなり、冷却効率を低下させる。
【００３０】
以上のように実施の形態１において、吸気ダクト１１ａのファン取付面側側面１０ａに傾斜部１４ｇを設け、吸気口１１ｂと対向する吸気口対向面１７を、傾斜させたことにより、誤って吸気口１１ｂに水等の液体が浸入したとしても、液体の跳ねもなくスムーズに排水口１２ｄに流し、排出することができる。そのため、モーター１３が駆動しシロッコファン１５が冷却風を吸引しても、液体の跳ねがないので、モーター１３や基板収納ケース２１内への液体の浸入を防止でき、モーター１３や回路基板２４が故障するということがなく、調理器本体１の安全性の向上を図ることが可能になる、という効果が得られる。
【００３１】
また、吸気ダクト１１ａのファン取付面側側面１０ａに傾斜部１４ｇを設け、吸気口１１ｂと対向する吸気口対向面１７を、傾斜させたことにより、吸気口１１ｂから吸引された冷却風の曲がり圧損を抑制でき、吸気効率が上がり、冷却用ファン装置１１のエネルギー消費量を抑えることができる、という効果が得られる。
【００３２】
なお、本実施の形態１においてＷ１は約５５ｍｍ、Ｗ２は約８５ｍｍで、Ｗ２はＷ１のおよそ１．５倍の寸法関係としているが、Ｗ１及びＷ２は電磁誘導加熱調理器の構成、冷却用ファン装置の能力等により適宜、設定される寸法であって、この寸法に限定されるものではない。
また、前述の所定の角度Ｘは電磁誘導加熱調理器の構成、冷却用ファン装置の能力等により適宜、設定される寸法であるが、水跳ね、吸気効率を考えると４５度以下となるように設定することが望ましい。
【００３３】
また、本実施の形態１では、後面１０ｄ側から、円筒状風路部１２ａの途中より前面１０ｃ側（排水口１２ｄの方向）へ吸気口１１ｂと対向する吸気口対向面１７を、所定の角度Ｘの傾斜をもって傾斜していることを述べたが、傾斜面に代えてカーブ面としてもよい。
【００３４】
実施の形態２．
図１０は本発明の実施の形態２の冷却用ファン装置の吸気ダクト断面図である。
実施の形態１では、吸気ダクト１１ａのファン取付面側側面１０ａに傾斜部１４ｇを設けたが、モーター取付面背面側側面１０ｂと、その右側方に配置される左右仕切板３Ｒ、３Ｌ（図示せず）のいずれかとの間にスペースが確保できる場合、図１０に示すようにモーター取付面背面側側面１０ｂ側に傾斜部１４ｈを設けることが可能となり、実施の形態１同様、液体の跳ねがないので、モーター１３等への液体の浸入を防止でき、調理器本体１の安全性の向上を図ることが可能になる、という効果が得られる。
また、冷却風の曲がり圧損を抑制でき、吸気効率が上がり、冷却用ファン装置１１のエネルギー消費量を抑えることができる、という効果が得られる。
【００３５】
実施の形態３．
図１１は本発明の実施の形態３の冷却用ファン装置の吸気ダクト断面図である。
実施の形態１では、吸気ダクト１１ａのファン取付面側側面１０ａだけに傾斜部１４ｇを設けたが、モーター取付面背面側側面１０ｂと、その右側方に配置される左右仕切板３Ｒ、３Ｌ（図示せず）のいずれかとの間にスペースが確保できる場合、図１１に示すようにモーター取付背面側側面１０ｂ側にも傾斜部１４ｈを設けることが可能となり、実施の形態１同様、液体の跳ねがないので、モーター１３等への液体の浸入を防止でき、調理器本体１の安全性の向上を図ることが可能になる、という効果が得られる。
また、冷却風の曲がり圧損を抑制でき、吸気効率が上がり、冷却用ファン装置１１のエネルギー消費量を抑えることができる、という効果が得られる。
なお、本実施の形態では、左右の拡大寸法が同等となっているが、左右の寸法が異なるようにしてもよい。
【００３６】
実施の形態４．
図１２は本発明の実施の形態４の冷却用ファン装置を上方から見た外観図、図１３は本発明の実施の形態４の冷却用ファン装置をモーター取付面背面側から見た側面図である。
図１２、図１３に示すように吸気ダクト１１ａは、奥行き方向の寸法Ｄ１から後面１０ｄ側に、所定の角度Ｘの傾斜をもって奥行き方向の寸法Ｄ２に向けて傾斜、拡大している。
【００３７】
実施の形態１では、吸気ダクト１１ａのファン取付面側側面１０ａに傾斜部１４ｇを設けたが、図１１、図１２に示すように吸気口１１ｂの後面１０ｄ側にスペースが確保できる場合、後面１０ｄ側に傾斜部１４ｊを設けることが可能であり、実施の形態１同様、液体の跳ねがないので、モーター１３等への液体の浸入を防止でき、調理器本体１の安全性の向上を図ることが可能になる、という効果が得られる。
また、冷却風の曲がり圧損を抑制でき、吸気効率が上がり、冷却用ファン装置１１のエネルギー消費量を抑えることができる、という効果が得られる。
【００３８】
なお、本実施の形態４においてＤ１は約２５ｍｍ、Ｄ２は約３８ｍｍで、Ｄ２はＤ１のおよそ１．５倍の寸法関係としているが、Ｄ１及びＤ２は電磁誘導加熱調理器の構成、冷却用ファン装置の能力等により適宜、設定される寸法であって、この寸法に限定されるものではない。
また、前述の所定の角度Ｘは電磁誘導加熱調理器の構成、冷却用ファン装置の能力等により適宜、設定される寸法であるが、水跳ね、吸気効率を考えると４５度以下となるように設定することが望ましい。
さらに、本実施の形態では、後面側へ拡大するようになっているが、前面側へ拡大するようにしてもよい。
【符号の説明】
【００３９】
１  調理器本体、２  本体ケース、３Ｒ、３Ｌ  左右仕切板、３ａ、３ｂ  切欠部、
４  水平仕切板、５  後部仕切板、５ａ  排気穴、６Ｒ  右冷却室、６Ｌ  左冷却室、
７  上部部品室、８  排気室、９  グリル加熱室、９ａ  グリル扉、９ｂ  排気ダクト、１０ａ  ファン取付面側側面、１０ｂ  モーター取付面背面側側面、１０ｃ  前面、
１０ｄ  後面、１１  冷却用ファン装置、１１ａ  吸気ダクト、１１ｂ  吸気口、
１２  モーターケース、１２ａ  円筒状風路部、１２ｂ  開口部、１２ｃ  モーター取付側ダクト構成部、１２ｄ  排水口、１３  モーター、１３ａ  回転軸、１４  モーターケース、１４ａ  吸引風路部、１４ｂ  貫通穴、１４ｃ  ファン取付面側ダクト構成部、
１４ｄ  板状のカバー、１４ｅ  支持部材、１４ｆ  モーター支持板、１４ｇ  傾斜部、１４ｈ  傾斜部、１４ｊ  傾斜部、１４ｋ  水平部、１５  シロッコファン、
１６  モーターケース吸気部、１７  吸気口対向面、２１  基板収納ケース、
２２、２３  ケース、２２ａ  ファンカバー、２２ｂ  開口部、
２２ｃ、２２ｄ  冷却風排出口、２４  回路基板
【図１】
0005538130.tif 000002
【図２】
0005538130.tif 000003
【図３】
0005538130.tif 000004
【図４】
0005538130.tif 000005
【図５】
0005538130.tif 000006
【図６】
0005538130.tif 000007
【図７】
0005538130.tif 000008
【図８】
0005538130.tif 000009
【図９】
0005538130.tif 000010
【図１０】
0005538130.tif 000011
【図１１】
0005538130.tif 000012
【図１２】
0005538130.tif 000013
【図１３】
0005538130.tif 000014